(57)【特許請求の範囲】
【請求項１】
移動通信端末が在圏している移動通信網を検出するモニタ装置と、
前記モニタ装置によって前記移動通信端末が在圏している移動通信網が検出されると、当該移動通信端末が当該移動通信網を介した通信に利用するプロファイルを活性状態に切り替えるよう、当該移動通信端末に指示するプロファイル管理装置と、
前記モニタ装置によって前記移動通信端末が在圏している移動通信網が検出されると、前記移動通信端末が前記移動通信網を介した通信に利用するプロファイルを取得する契約情報管理装置とを備え、
前記プロファイル管理装置は、
前記契約情報管理装置によって取得されたプロファイルを活性状態に切り替えるよう前記移動通信端末に指示し、
前記移動通信端末が前記プロファイルを保持していない場合には、当該移動通信端末に対して、前記契約情報管理装置から取得した前記プロファイルを送信し、
前記契約情報管理装置は、前記移動通信端末が在圏している前記移動通信網の設備である他の契約情報管理装置から、当該移動通信端末が当該移動通信網を介した通信に利用するプロファイルを取得する
ことを特徴とする通信制御システム。
【請求項２】
移動通信端末が在圏している移動通信網を検出するモニタ装置と、
前記モニタ装置によって前記移動通信端末が在圏している移動通信網が検出されると、当該移動通信端末が当該移動通信網を介した通信に利用するプロファイルを活性状態に切り替えるよう、当該移動通信端末に指示するプロファイル管理装置と、
複数の前記プロファイルを記憶する記憶モジュールとを備え、
当該記憶モジュールは、
前記移動通信端末が在圏している移動通信網を特定し、
活性状態のプロファイルが、前記移動通信端末の主契約先となる移動通信網であるホーム網におけるプロファイルであるか否かを判断し、
活性状態のプロファイルが前記ホーム網におけるプロファイルでなければ、活性状態のプロファイルが、前記移動通信端末が在圏している移動通信網におけるプロファイルであるか否かを判断し、
活性状態のプロファイルが、前記移動通信端末が在圏している移動通信網におけるプロファイルでなければ、活性状態のプロファイルを前記ホーム網におけるプロファイルに切り替える
ことを特徴とする通信制御システム。
【請求項３】
前記記憶モジュールは、記憶しているプロファイルが上限数に達した状態でさらに新しいプロファイルを記憶する場合には、前記ホーム網におけるプロファイル以外のプロファイルを消去して前記新しいプロファイルを記憶する
ことを特徴とする請求項２記載の通信制御システム。
【請求項４】
移動通信端末に接続または内蔵され、当該移動通信端末が移動通信網を介した通信に利用する複数のプロファイルを記憶する記憶モジュールであって、
前記移動通信端末が在圏している移動通信網、或いは在圏国情報を特定し、
活性状態のプロファイルが、前記移動通信端末の主契約先となる移動通信網であるホーム網におけるプロファイルであるか否かを判断し、
活性状態のプロファイルが前記ホーム網におけるプロファイルでなければ、活性状態のプロファイルが、前記移動通信端末が在圏している移動通信網におけるプロファイルであるか否かを判断し、
活性状態のプロファイルが、前記移動通信端末が在圏している移動通信網におけるプロファイルでなければ、活性状態のプロファイルを前記ホーム網におけるプロファイルに切り替える
ことを特徴とする記憶モジュール。
【請求項５】
記憶しているプロファイルが上限数に達した状態でさらに新しいプロファイルを記憶する場合には、前記ホーム網におけるプファイル以外のプロファイルを消去して前記新しいプロファイルを記憶する
ことを特徴とする請求項４記載の記憶モジュール。
【発明の詳細な説明】
【技術分野】
【０００１】
本発明は、移動通信網において移動通信端末が通信を行うために使用するプロファイルを切り替える技術に関するものである。
【背景技術】
【０００２】
スマートフォンなどの移動通信端末には、ＳＩＭ（Subscriber Identity Module）と呼ばれる記憶モジュールを装着することにより、音声通信やデータ通信を行うことが可能となるものがある（特許文献１参照）。このＳＩＭには、通信事業者から移動通信端末のユーザに割り当てられている識別番号であるＩＭＳＩ(International Mobile Subscriber Identity)を含むプロファイルが記憶されている。ＩＭＳＩは、通信事業者の通信ネットワーク設備がある国を表すＭＣＣ（Mobile Country Code）と、この通信事業者を表すＭＮＣ（Mobile Network Code）と、ユーザを識別するコードであるＭＳＩＮ（Mobile Station Identification Number）とを含む。ＩＭＳＩには、国や通信事業者に対応する情報が含まれているため、１つのＩＭＳＩにより利用可能な通信事業者は１つであり、１つのＩＭＳＩが対応する国は１つである。
【０００３】
近年、ＧＳＭアソシエーション（（登録商標）ＧＳＭＡ：GSM Association）において、移動通信網を介してＩＭＳＩを変更することができるＳＩＭの規格が検討されている（非特許文献１参照）。こういったＳＩＭをｅＳＩＭ（Embedded Subscriber Identity Module）という。ｅＳＩＭによってプロファイルを変更することにより、移動通信端末はローミングに依らずに、自端末が在圏するネットワークを利用することが可能となる。
【０００４】
ｅＳＩＭの規格では、通信事業者がユーザの要請に基づきプロファイルを書き換える操作を行うことでプロファイルが変更されるようになっている。そのため、例えば海外渡航時に現地の通信事業者のプロファイルに書き換える依頼を忘れると、意図せず高額なローミングを利用してしまう可能性がある。
【先行技術文献】
【特許文献】
【０００５】
【特許文献１】特開２００７−２３５４９２号公報
【非特許文献】
【０００６】
【非特許文献１】Remote SIM Provisioning for Machine to Machine［平成27年9月18日検索］、インターネット〈URL：http://www.gsma.com/connectedliving/wp-content/uploads/2012/03/SGP-02-v3-0.pdf>
【発明の概要】
【発明が解決しようとする課題】
【０００７】
複数の通信事業者が提供する通信サービスを受けることができるＳＩＭを搭載した移動通信端末が、現在位置に応じてプロファイルを変更することができれば、ユーザ操作に依存せず、ローミングにより発生する費用を減らすことができる。
【０００８】
そこで、本発明の目的は、ユーザが切替先の移動通信網を複数の選択肢から選択しなくても、移動通信端末の位置に応じて、利用する移動通信網を切り替えられる仕組みを提供することにある。
【課題を解決するための手段】
【０００９】
上記課題を解決するため、本発明は、移動通信端末が在圏している移動通信網を検出するモニタ装置と、前記モニタ装置によって前記移動通信端末が在圏している移動通信網が検出されると、当該移動通信端末が当該移動通信網を介した通信に利用するプロファイルを活性状態に切り替えるよう、当該移動通信端末に指示するプロファイル管理装置と、前記モニタ装置によって前記移動通信端末が在圏している移動通信網が検出されると、前記移動通信端末が前記移動通信網を介した通信に利用するプロファイルを取得する契約情報管理装置とを備え、前記プロファイル管理装置は、前記契約情報管理装置によって取得されたプロファイルを活性状態に切り替えるよう前記移動通信端末に指示し、前記移動通信端末が前記プロファイルを保持していない場合には、当該移動通信端末に対して、前記契約情報管理装置から取得した前記プロファイルを送信し、前記契約情報管理装置は、前記移動通信端末が在圏している前記移動通信網の設備である他の契約情報管理装置から、当該移動通信端末が当該移動通信網を介した通信に利用するプロファイルを取得することを特徴とする通信制御システムを提供する。
【００１０】
上記課題を解決するため、本発明は、移動通信端末が在圏している移動通信網を検出するモニタ装置と、前記モニタ装置によって前記移動通信端末が在圏している移動通信網が検出されると、当該移動通信端末が当該移動通信網を介した通信に利用するプロファイルを活性状態に切り替えるよう、当該移動通信端末に指示するプロファイル管理装置と、複数の前記プロファイルを記憶する記憶モジュールとを備え、当該記憶モジュールは、前記移動通信端末が在圏している移動通信網を特定し、活性状態のプロファイルが、前記移動通信端末の主契約先となる移動通信網であるホーム網におけるプロファイルであるか否かを判断し、活性状態のプロファイルが前記ホーム網におけるプロファイルでなければ、活性状態のプロファイルが、前記移動通信端末が在圏している移動通信網におけるプロファイルであるか否かを判断し、  活性状態のプロファイルが、前記移動通信端末が在圏している移動通信網におけるプロファイルでなければ、活性状態のプロファイルを前記ホーム網におけるプロファイルに切り替えることを特徴とする通信制御システムを提供する。
【００１３】
前記記憶モジュールは、記憶しているプロファイルが上限数に達した状態でさらに新しいプロファイルを記憶する場合には、前記ホーム網におけるプロファイル以外のプロファイルを消去して前記新しいプロファイルを記憶するようにしてもよい。
【００１４】
上記課題を解決するため、本発明は、移動通信端末に接続または内蔵され、当該移動通信端末が移動通信網を介した通信に利用する複数のプロファイルを記憶する記憶モジュールであって、前記移動通信端末が在圏している移動通信網、或いは在圏国情報を特定し、活性状態のプロファイルが、前記移動通信端末の主契約先となる移動通信網であるホーム網におけるプロファイルであるか否かを判断し、活性状態のプロファイルが前記ホーム網におけるプロファイルでなければ、活性状態のプロファイルが、前記移動通信端末が在圏している移動通信網におけるプロファイルであるか否かを判断し、活性状態のプロファイルが、前記移動通信端末が在圏している移動通信網におけるプロファイルでなければ、活性状態のプロファイルを前記ホーム網におけるプロファイルに切り替えることを特徴とする記憶モジュールを提供する。
【００１５】
記憶しているプロファイルが上限数に達した状態でさらに新しいプロファイルを記憶する場合には、前記ホーム網におけるプロファイル以外のプロファイルを消去して前記新しいプロファイルを記憶するようにしてもよい。
【発明の効果】
【００１６】
本発明によれば、ユーザが切替先の移動通信網を複数の選択肢から選択しなくても、移動通信端末の位置に応じて、利用する移動通信網を切り替えられる。
【図面の簡単な説明】
【００１７】
【図１】通信システムの全体構成を示す図。
【図２】通信制御システムの構成を示す図。
【図３】プロファイルの一例を示す図。
【図４】実施形態における通信システムの動作例を示すシーケンス図。
【図５】実施形態における通信システムの動作の別の例を示すシーケンス図。
【図６】実施形態における通信システムの動作の別の例を示すシーケンス図。
【図７】実施形態におけるｅＳＩＭの動作の流れを示すフロー図。
【発明を実施するための形態】
【００１８】
１．構成
図１は、通信システム１の全体構成を示す図である。通信システム１は、移動通信網２ａ，２ｂ（以下、特に区別の必要がない場合は、これらを総称して「移動通信網２」という）と、各移動通信網２ａ，２ｂの設備である通信制御システム３ａ，３ｂ（以下、特に区別の必要がない場合は、これらを総称して「通信制御システム３」という）と、移動通信端末４とを有する。移動通信網２ａ，２ｂは、互いに異なる通信事業者の移動通信網である。各移動通信網２は、それぞれの通信サービスエリア内において、移動通信端末４に通信サービスを提供する。なお、この例で移動通信網２は２つであるが、３つ以上であってもよい。
【００１９】
移動通信端末４は、移動通信網２から無線による通信サービスを受ける通信装置であり、例えば、スマートフォンやタブレットである。移動通信端末４は、ｅＳＩＭ（Embedded Subscriber Identity Module）に接続されるか又はｅＳＩＭを内蔵している。ｅＳＩＭには、移動通信網２との加入契約情報を識別する情報であるＩＭＳＩが記憶されている。本実施形態では、移動通信端末４が、通信事業者ａによって管理される移動通信網２ａの通信サービスエリア５ａから、通信事業者ｂによって管理される移動通信網２ｂの通信サービスエリア５ｂへと移動する場合を想定する。
【００２０】
通信制御システム３ａ，３ｂは、それぞれ移動通信網２ａ，２ｂに対する移動通信端末４の接続を制御するコンピュータシステムである。図２は、通信制御システム３の構成を示す図である。通信制御システム３は、プロファイル管理装置３１、契約情報管理装置３２、位置情報管理装置３３、モニタ装置３４及び交換局３５を含む。
【００２１】
プロファイル管理装置３１は、例えばｅＳＩＭ規格におけるＳＭ（Subscription Manager）に相当する構成であり、移動通信端末４のｅＳＩＭ４１に対してプロファイルを書き込んだり、既にｅＳＩＭ４１が保持しているプロファイルを活性状態に切り替えるよう指示したりといった機能を有する。プロファイルとは、ＩＭＳＩや電話番号など、その通信事業者の通信サービスを利用するために必要な情報である。なお、プロファイル管理装置３１は、各移動通信網２で共有する単一の装置であってもよいし、各移動通信網２が備える複数の装置の集合体であってもよい。或いは、移動通信網２の外部のシステムとして提供されてもよい。
【００２２】
契約情報管理装置３２は、例えばＢＳＳ（Business Support System）に相当する構成であり、通信事業者とユーザとの通信サービス契約に関する情報を管理する。
【００２３】
位置情報管理装置３３は、例えばＨＬＲ（Home Location Register）やＶＬＲ（Visitor Location Register）に相当する構成であり、移動通信端末４がどの通信サービスエリアに存在しているかを表す在圏情報を管理する。
【００２４】
モニタ装置３４は、移動通信端末４が在圏する移動通信網における在圏状態を管理する装置である。モニタ装置３４は、例えば移動通信端末４が或る移動通信網２から他の移動通信網２に移動したか否かを監視しており、移動通信端末が在圏している移動通信網や接続の状態変化などを検出する。
【００２５】
交換局３５は、例えばＭＭＥ（Mobility Management Entity）やＳＧＳＮ（Serving GPRS Support Node）に相当する構成であり、移動通信網２の通信サービスエリアに在圏する移動通信端末４のアクセス管理などを行う。
【００２６】
ここで、図３は、移動通信端末４のｅＳＩＭ４１が記憶しているプロファイルの一例を示す図である。移動通信端末のｅＳＩＭ４１（記憶モジュール）には、複数のプロファイルを記憶する記憶領域が設けられている。この記憶領域には、プロファイルを識別するための識別情報であるプロファイルＩＤと、移動通信端末４の主契約先となる移動通信網２であるホーム網であるか否かを意味するホーム網フラグと、プロファイルの活性／非活性状態を意味する活性状態フラグと、プロファイルに含まれる内容（ＩＭＳＩや電話番号など）とが対応付けられて記憶されている。
【００２７】
ホーム網とは、典型的には、ユーザが居住する地域に通信サービスを提供する移動通信網２であり、移動通信端末４のユーザはこの移動通信網２を管理する通信事業者と通信サービス契約を結ぶ。プロファイルが活性状態であるとは、このプロファイルが移動通信端末４の通信に使用されるということであり、プロファイルが非活性状態であるとは、このプロファイルが移動通信端末４の通信に使用されないということである。つまり、活性状態フラグは、移動通信端末がどのプロファイルを使用して通信を行うかを示したものであり、「１」が活性状態、つまり移動通信端末が通信を行うために使用するプロファイルであり、「０」が非活性状態、つまり移動通信端末が通信を行うために使用するものではないプロファイルである。活性状態のプロファイルはｅＳＩＭに記憶された複数のプロファイルのうちいずれか１つである。或いは、複数のプロファイルが活性状態にあってもよく、かかる場合、移動通信端末４が在圏している移動通信網２に応じて、実際の通信に利用するプロファイルが優先順位付けされていてもよい。図３に示す例では、プロファイルＩＤ「プロファイルＡ」のプロファイルは活性状態であり、ホーム網におけるプロファイルである。ｅＳＩＭ４１は、記憶しているプロファイルが上限数に達した状態でさらに新しいプロファイルを記憶する場合には、ホーム網におけるプロファイル以外のプロファイルを消去して、新しいプロファイルを記憶する。なお、この場合に新しいプロファイルを記憶するのではなく、これ以上プロファイルを記憶することができない旨のメッセージを出力し、必要に応じて、消去すべきプロファイルをユーザに指定させるようにしてもよい。そして、ｅＳＩＭ４１は、指定されたプロファイルを消去して、新しいプロファイルを記憶する。
【００２８】
ＩＭＳＩは、通信事業者の通信ネットワーク設備がある国を表すＭＣＣ（Mobile Country Code）と、この通信事業者を表すＭＮＣ（Mobile Network Code）と、ユーザを識別するコードであるＭＳＩＮ（Mobile Station Identification Number）とを含む。なお、プロファイルＩＤにはそのプロファイルに含まれるＩＭＳＩが用いられてもよい。
【００２９】
２．動作
図４は、通信システム１の動作を示すシーケンス図である。ここでは、前述したように、移動通信端末４が、通信事業者Ａによって管理される移動通信網２ａの通信サービスエリア５ａから、通信事業者Ｂによって管理される移動通信網２ｂの通信サービスエリア５ｂへと移動する場合を想定する。
【００３０】
移動通信網２ｂの通信サービスエリア５ｂに在圏した移動通信端末４からは、移動通信網２ｂに向けて位置登録要求が発信される。この位置登録要求を受信した移動通信網２ｂの交換局３５は、位置登録要求に含まれているＩＭＳＩ、或いはＩＭＳＩと関連づけされた識別情報、例えばＰ−ＴＭＳＩ（Ｐａｃｋｅｔ−Ｔｅｍｐｏｒａｒｙ  Ｍｏｂｉｌｅ  Ｓｕｂｓｃｒｉｂｅｒ  Ｉｄｅｎｔｉｔｙ）を参照して、移動通信網２ａに対してこの位置登録要求を転送すべきと判断し、転送処理を行う。移動通信網２ａのモニタ装置３４は、移動通信網２ｂの交換局３５から移動通信網２ａの位置情報管理装置３３へ送信する情報からこの位置登録要求を取得すると、その位置登録要求信号に含まれる、移動通信網２ｂに関わる情報要素に基づいて、移動通信端末４が移動通信網２ｂに在圏していることを検出する。そして、位置情報管理装置３３において位置登録処理が行われる（ステップＳ１０１）。
【００３１】
モニタ装置３４は、移動通信網２ａの契約情報管理装置３２に対して、移動通信端末４が移動通信網２ｂに在圏していることを意味する在圏通知を送信する（ステップＳ１０２）。この在圏通知に応じて、契約情報管理装置３２は、移動通信端末４のユーザと移動通信網２ｂの通信事業者との通信サービス契約が有効か否かを判断する（ステップＳ１０３）。ここでいう通信サービスが有効でない状態とは、通信サービスが受けられない状態全般を指し、例えば契約の解約や契約の有効期限切れなどが挙げられる。かかる判断において、移動通信網２ｂとの契約更新回数など、移動通信網２ａとユーザにおける契約条件を、判断の要素としてもよい。このような事情で通信サービス契約が有効ではない、或いは、他の条件によりステップＳ１０３；ＮＯの処理を実施すべきと判断されると、移動通信網２ａの契約情報管理装置３２は、移動通信網２ｂに対して移動通信端末４に割り当てるプロファイルを要求する（ステップＳ１０４）。具体的には、移動通信網２ａの契約情報管理装置３２は、自身が保持しているプロファイルデータベースからステップＳ１０２で送信する信号から関連づけられるＩＭＳＩを検索し、そのＩＭＳＩに対応する契約情報を参照して上記の判断を行う。
【００３２】
移動通信網２ｂの契約情報管理装置３２は、上記要求に応じて、移動通信網２ｂの位置情報管理装置３３に対して、新たに移動通信端末４に割り当てたＩＭＳＩ等のプロファイルを転送して、いわゆる開通処理を行う（ステップＳ１０５）。そして、移動通信網２ｂの契約情報管理装置３２は、かかるプロファイルを移動通信網２ａの契約情報管理装置３２に送信する（ステップＳ１０６）。
【００３３】
移動通信網２ａの契約情報管理装置３２は、移動通信端末４のユーザと移動通信網２ｂの通信事業者との通信サービス契約が有効であると判断した場合や（ステップＳ１０３；ＹＥＳ）、移動通信網２ｂの契約情報管理装置３２から移動通信端末４のプロファイルを受信した場合には、移動通信網２ｂにおける移動通信端末４のプロファイルをプロファイル管理装置３１に送信してプロファイルの変更を依頼する（ステップＳ１０７）。この依頼に応じて、プロファイル管理装置３１は、移動通信網２ｂを用いて、移動通信網２ｂのプロファイルを活性状態に変更するよう移動通信端末４に指示する（ステップＳ１０８）。かかる指示において、プロファイル管理装置３１は、プロファイルを識別するための識別情報を移動通信端末４に通知してもよい。
【００３４】
移動通信端末４はこの指示を受信すると、移動通信網２ｂのプロファイルを自端末のｅＳＩＭ４１に保持しているか否かを判断する（ステップＳ１０９）。保持していなければ、移動通信端末４は、プロファイル管理装置３１に対し、移動通信網２ｂにおける移動通信端末４のプロファイルを要求して（ステップＳ１１０）、これを取得し、ｅＳＩＭ４１に記憶する（ステップＳ１１１）。そして、移動通信端末４はｅＳＩＭ４１において活性状態のプロファイルを、移動通信網２ａが払い出したプロファイルから、移動通信網２ｂが払い出したプロファイルに切り替える（ステップＳ１１２）。つまり、図３に示した活性状態フラグを書き換える。そして、移動通信端末４は、移動通信網２ｂのプロファイルを用いて、移動通信網２ｂを介した通信を行う。
【００３５】
以上の処理において、移動通信網２ｂが移動通信端末４に割り当てたプロファイル情報は、プロファイル管理装置３１に対して直接、或いは上述した装置或いはシステム以外を経由して通知されてもよい。かかる場合、プロファイル管理装置３１は、移動通信網２ａ或いは移動通信網２ｂに依存しないシステムであってもよく、例えば、移動通信端末のｅＳＩＭ４１を提供する事業者、或いは、移動通信端末を提供する事業者、或いは、移動通信網事業者が提供する装置であってもよい。
【００３６】
図５は、通信システム１の動作の別の例を示すシーケンス図である。ここでも、前述したように、移動通信端末４が、通信事業者Ａによって管理される移動通信網２ａの通信サービスエリア５ａから、通信事業者Ｂによって管理される移動通信網２ｂの通信サービスエリア５ｂへと移動する場合を想定する。また、移動通信網２ｂにおける移動通信端末３４のプロファイルは、移動通信網２ａ又はプロファイル管理装置３１のいずれかが保持しているものとする。
【００３７】
ステップＳ１０１〜Ｓ１０２，Ｓ１０８〜１１２の処理は図４と同じである。移動通信網２ａの契約情報管理装置３２は、移動通信端末４のユーザと移動通信網２ｂの通信事業者との契約が有効か否かを確認し（ステップＳ２０１）、移動通信網２ｂにおける移動通信端末４のプロファイルをプロファイル管理装置３１に送信してプロファイルの変更を依頼する（ステップＳ２０２）。
【００３８】
図６は、通信システム１の動作の別の例を示すシーケンス図である。ここでは、移動通信端末４が、通信事業者Ａによって管理される移動通信網２ａの通信サービスエリア５ａから、通信事業者Ｂによって管理される移動通信網２ｂの通信サービスエリア５ｂへと移動し、さらに通信事業者Ｃによって管理される移動通信網の通信サービスエリアへと移動する場合を想定する。
【００３９】
通信事業者Ｃの移動通信網の通信サービスエリアに在圏した移動通信端末４は、後述する図7の処理（後述する例４）により、ｅＳＩＭ４１において活性状態のプロファイルを、通信事業者Ｂの移動通信網２ｂにおける移動通信端末４のプロファイルから、通信事業者Ａの移動通信網２ａにおける移動通信端末４のプロファイルに切り替える（ステップＳ３０１）。
【００４０】
この後、図４，５と同様の処理（図４，５において通信事業者Ｂを通信事業者Ｃに置き換えた処理）を経て、移動通信端末４はｅＳＩＭ４１において活性状態のプロファイルを、移動通信網２ａにおける移動通信端末４のプロファイルから、通信事業者Ｃの移動通信網２における移動通信端末４のプロファイルに切り替える（図６においては、図４の処理を行う例を示している）。そして、移動通信端末４は、通信事業者Ｃの移動通信網２のプロファイルを用いて、その移動通信網２を介した通信を行う。
かかる手順により、通信事業者Ａは移動端末がいずれの移動通信網に移動したかを判断することが可能となり、適切な移動通信網２が払い出したプロファイルへの変更を指示することが可能となる。
【００４１】
次に、図７は、移動通信端末４のｅＳＩＭ４１の動作を示すフロー図である。
ｅＳＩＭ４１は、移動通信端末４が在圏している移動通信網２からの信号を受信すると、その信号に含まれる情報に基づいて、どの移動通信網に在圏しているか、或いは、いずれの国にいるのかを特定する（ステップＳ１）。次に、ｅＳＩＭ４１は、図３に例示した記憶内容を参照して、活性状態のプロファイルがホーム網におけるプロファイルであるか否かを判断する（ステップＳ２）。活性状態のプロファイルがホーム網におけるプロファイルであれば(ステップＳ２；ＹＥＳ)、処理は終了する。
【００４２】
活性状態のプロファイルがホーム網におけるプロファイルでなければ(ステップＳ２；ＮＯ)、活性状態のプロファイルが、移動通信端末４が在圏している移動通信網２におけるプロファイルであるか否かを判断する（ステップＳ３）。活性状態のプロファイルが、移動通信端末４が在圏している移動通信網２におけるプロファイルであれば（ステップＳ３；ＹＥＳ）、処理は終了する。
【００４３】
活性状態のプロファイルが、移動通信端末４が在圏している移動通信網２におけるプロファイルでなければ（ステップＳ３；ＮＯ）、ｅＳＩＭ４１は、活性状態のプロファイルを、活性状態のプロファイルがホーム網におけるプロファイルに切り替える（ステップＳ４）。
【００４４】
以下、図７の動作の例示を行う。
例１：在圏している移動通信網が移動通信網ａ、活性状態のプロファイルの移動通信網が移動通信網ａ、ホーム網が移動通信網ａ
ｅＳＩＭ４１は、移動通信網ａに在圏していることを特定し（ステップＳ１）、活性状態のプロファイル（移動通信網ａ）がホーム網（移動通信網ａ）におけるプロファイルであると判断し（ステップＳ２；ＹＥＳ）、処理は終了する。これにより、移動通信端末４は、移動通信網ａのプロファイルを用いて、移動通信網ａを介した通信を行う。
【００４５】
例２：在圏している移動通信網が移動通信網ａ、活性状態のプロファイルの移動通信網が移動通信網ｂ、ホーム網が移動通信網ａ
ｅＳＩＭ４１は、移動通信網ａに在圏していることを特定し（ステップＳ１）、活性状態のプロファイル（移動通信網ｂ）がホーム網（移動通信網ａ）におけるプロファイルではないと判断する（ステップＳ２；ＮＯ）。そして、ｅＳＩＭ４１は、活性状態のプロファイル（移動通信網ｂ）が、在圏している移動通信網ａにおけるプロファイルではないと判断し（ステップＳ３；ＮＯ）活性状態のプロファイルを、移動通信網ｂのプロファイルから移動通信網ａのプロファイルに切り替える（ステップＳ４）。これにより、移動通信端末４は、移動通信網ａのプロファイルを用いて、移動通信網ａを介した通信を行う。
【００４６】
例３：在圏している移動通信網が移動通信網ｂ、活性状態のプロファイルの移動通信網が移動通信網ｂ、ホーム網が移動通信網ａ
ｅＳＩＭ４１は、移動通信網ｂに在圏していることを特定し（ステップＳ１）、活性状態のプロファイル（移動通信網ｂ）がホーム網（移動通信網ａ）におけるプロファイルではないと判断する（ステップＳ２；ＮＯ）。そして、ｅＳＩＭ４１は、活性状態のプロファイル（移動通信網ｂ）が、在圏している移動通信網ｂにおけるプロファイルであると判断し（ステップＳ３；ＹＥＳ）、処理を終了する。これにより、移動通信端末４は、移動通信網ｂのプロファイルを用いて、移動通信網ｂを介した通信を行う。
【００４７】
例４：在圏している移動通信網が移動通信網ｃ、活性状態のプロファイルの移動通信網が移動通信網ｂ、ホーム網が移動通信網ａ
ｅＳＩＭ４１は、移動通信網ｃに在圏していることを特定し（ステップＳ１）、活性状態のプロファイル（移動通信網ｂ）がホーム網（移動通信網ａ）におけるプロファイルではないと判断する（ステップＳ２；ＮＯ）。そして、ｅＳＩＭ４１は、活性状態のプロファイル（移動通信網ｂ）が、在圏している移動通信網ｃにおけるプロファイルではないと判断し（ステップＳ３；ＮＯ）、活性状態のプロファイルを、移動通信網ｂのプロファイルから移動通信網ａのプロファイルに切り替える（ステップＳ４）。これにより、移動通信端末４は、移動通信網ａのプロファイルを用いて、移動通信網ａを介した通信を行う。
【００４８】
以上説明した実施形態によれば、ユーザが切替先の移動通信網を選択しなくても、移動通信端末の位置に応じて、利用する移動通信網を切り替えられる。
特に、移動通信端末４が、通信事業者Ａによって管理される移動通信網２ａの通信サービスエリア５ａから、通信事業者Ｂによって管理される移動通信網２ｂの通信サービスエリア５ｂへと移動し、さらに通信事業者Ｃによって管理される移動通信網の通信サービスエリアへと移動する場合、まず、図７で説明したｅＳＩＭ４１の処理により、活性状態のプロファイルが、通信事業者Ｂの移動通信網２ｂが払い出したプロファイルから、通信事業者Ａの移動通信網２ａが払い出したプロファイルに切り替えられる。さらに、図４，５で説明した通信制御システムの処理により、ｅＳＩＭ４１において活性状態のプロファイルが、移動通信網２ａが払い出したプロファイルから、通信事業者Ｃの移動通信網２が払い出したプロファイルに切り替えられる。これにより、移動通信端末４は、通信事業者Ｃの移動通信網２が払い出したプロファイルを用いて、その移動通信網２を介した通信を行う。このように、ｅＳＩＭ４１におけるプロファイルの切替処理と通信制御システムによるｅＳＩＭ４１におけるプロファイルの切替処理が連携することで、移動通信端末４は、ローミングを行うことなく、在圏しているネットワークを用いた通信を行うことが可能となる。
【符号の説明】
【００４９】
１…通信システム、２（２ａ，２ｂ）…移動通信網、３（３ａ，３ｂ）…通信制御システム、４…移動通信端末、５（４ａ，５ｂ）…通信サービスエリア、３１…プロファイル管理装置、３２…契約情報管理装置、３３…位置情報管理装置、３４…モニタ装置、３５…交換局、４１…ｅＳＩＭ
【図１】
0006505562.tif 000002
【図２】
0006505562.tif 000003
【図３】
0006505562.tif 000004
【図４】
0006505562.tif 000005
【図５】
0006505562.tif 000006
【図６】
0006505562.tif 000007
【図７】
0006505562.tif 000008